【手続補正書】
【提出日】平成19年3月8日(2007.3.8)
【手続補正１】
【補正対象書類名】特許請求の範囲
【補正対象項目名】全文
【補正方法】変更
【補正の内容】
【特許請求の範囲】
【請求項１】
支持体及び該支持体上に形成された輝尽性蛍光体層を有する放射線画像変換パネルであって、
上部が開放され内部に前記輝尽性蛍光体層が形成された支持体が収容される箱型容器と、この箱型容器の開口端部に接着され前記箱型容器の内部を気密に保持し、樹脂フィルムから形成された保護部材とを備えていることを特徴とする放射線画像変換パネル。
【請求項２】
前記箱型容器の深さ寸法が、前記輝尽性蛍光体層が形成された支持体の厚さ寸法と同一又はそれより小さいことを特徴とする請求項１に記載の放射線画像変換パネル。
【請求項３】
前記箱型容器内部に放射線遮蔽材が配置され、この放射線遮蔽材の上に前記輝尽性蛍光体層を備えた支持体が配置されることを特徴とする請求項１に記載の放射線画像変換パネル。
【請求項４】
前記箱型容器の深さ寸法が、前記放射線遮蔽材の厚さ寸法と前記輝尽性蛍光体層を備えた支持体の厚さ寸法との合計と同一又はそれより小さいことを特徴とする請求項３に記載の放射線画像変換パネル。
【請求項５】
前記箱型容器の開口端部に外方に突出するフランジ部を形成したことを特徴とする請求項１〜請求項４のいずれか一項に記載の放射線画像変換パネル。
【請求項６】
前記箱型容器は樹脂により形成されていることを特徴とする請求項１〜請求項５のいずれか一項に記載の放射線画像変換パネル。
【請求項７】
前記保護部材はアルミニウム蒸着層（透湿度：０．０１〜１．０ｇ／m2／２４hr）を有することを特徴とする請求項１〜請求項６のいずれか一項に記載の放射性画像変換パネル。
【請求項８】
前記保護部材と前記箱型容器とは熱融着により接着されていることを特徴とする請求項１〜請求項７のいずれか一項に記載の放射線画像変換パネル。
【請求項９】
前記保護部材と前記箱型容器の内側の空間が大気圧より減圧されていることを特徴とする請求項１〜請求項８のいずれか一項に記載の放射線画像変換パネル。
【請求項１０】
前記保護部材と前記箱型容器の内側の空間の減圧度が絶対圧で１００Ｐａ〜１００００Ｐａであることを特徴とする請求項１〜請求項９のいずれか一項に記載の放射線画像変換パネル。
【請求項１１】
前記保護部材と前記箱型容器の内側の空間が不活性ガスで置換されていることを特徴とする請求項１〜請求項１０のいずれか一項に記載の放射線画像変換パネル。
【請求項１２】
前記支持体がカーボンを主とする剛性板材であることを特徴とする請求項１〜請求項１１のいずれか一項に記載の放射線画像変換パネル。
【請求項１３】
前記支持体がアルミニウムを主とする金属材料からなることを特徴とする請求項１〜請求項１２のいずれか一項に記載の放射線画像変換パネル。
【請求項１４】
前記支持体上にポリイミド層を形成し、前記輝尽性蛍光体層は前記ポリイミド層上に形成されていることを特徴とする請求項１〜請求項１３のいずれか一項に記載の放射線画像変換パネル。
【請求項１５】
前記支持体上に無機蒸着層を形成し、前記輝尽性蛍光体層は前記無機蒸着層上に形成されていることを特徴とする請求項１〜請求項１４のいずれか一項に記載の放射線画像変換パネル。
【請求項１６】
前記支持体上にフッ素を含む樹脂層を形成し、前記輝尽性蛍光体層は前記樹脂層上に形成されていることを特徴とする請求項１〜請求項１５のいずれか一項に記載の放射線画像変換パネル。
【手続補正２】
【補正対象書類名】明細書
【補正対象項目名】００１４
【補正方法】変更
【補正の内容】
【００１４】
以上の課題を解決するため、本発明の請求項１に記載の発明は、支持体及び該支持体上に形成された輝尽性蛍光体層を有する放射線画像変換パネルであって、上部が開放され内部に前記輝尽性蛍光体層が形成された支持体が収容される箱型容器と、この箱型容器の開口端部に接着され前記箱型容器の内部を気密に保持し、樹脂フィルムから形成された保護部材とを備えていることを特徴とする。
【手続補正３】
【補正対象書類名】明細書
【補正対象項目名】００１５
【補正方法】変更
【補正の内容】
【００１５】
請求項１に記載の発明によれば、箱型容器内部に輝尽性蛍光体層を備えた支持体を配置するため、該支持体の位置は自動的に決定される。
また、箱型容器内部に輝尽性蛍光体層を備えた支持体を配置し、箱型容器と保護部材をシールすることで密閉構造とすることができる。
また、支持体を箱型容器内部に配置した状態で箱型容器と保護部材を接着することから、シールの条件は支持体の材質に影響されない。
また、樹脂フィルムによって保護部材の強度が増し、また薄層にすることで光の拡散を防ぐことができる。
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】変更
【補正の内容】
【００２８】
請求項７に記載の発明は、請求項１〜６のいずれか一項に記載の放射性画像変換パネルであって、前記保護部材はアルミニウム蒸着層（透湿度：０．０１〜１．０ｇ／m2／２４hr）を有することを特徴とする。
【手続補正７】
【補正対象書類名】明細書
【補正対象項目名】００２９
【補正方法】変更
【補正の内容】
【００２９】
請求項７に記載の発明によれば、アルミニウムによって保護部材の防湿性が向上する。
【手続補正８】
【補正対象書類名】明細書
【補正対象項目名】００３０
【補正方法】変更
【補正の内容】
【００３０】
請求項８に記載の発明は、請求項１〜７のいずれか一項に記載の放射線画像変換パネルであって、前記保護部材と前記箱型容器とは熱融着により接着されていることを特徴とする。
【手続補正９】
【補正対象書類名】明細書
【補正対象項目名】００３１
【補正方法】変更
【補正の内容】
【００３１】
請求項８に記載の発明によれば、保護部材と箱型容器との間に隙間を生じさせることなく輝尽性蛍光体層を確実にかつ容易に封止することができる。
【手続補正１０】
【補正対象書類名】明細書
【補正対象項目名】００３２
【補正方法】変更
【補正の内容】
【００３２】
請求項９に記載の発明は、請求項１〜８のいずれか一項に記載の放射線画像変換パネルであって、前記保護部材と前記箱型容器の内側の空間が大気圧より減圧されていることを特徴とする。
【手続補正１１】
【補正対象書類名】明細書
【補正対象項目名】００３３
【補正方法】変更
【補正の内容】
【００３３】
請求項９に記載の発明によれば、前記箱型容器と前記保護部材の内側の空間が大気圧より減圧されるので、輝尽性蛍光体層が水や酸素に触れない。
【手続補正１２】
【補正対象書類名】明細書
【補正対象項目名】００３４
【補正方法】変更
【補正の内容】
【００３４】
請求項１０に記載の発明は、請求項１〜９のいずれか一項に記載の放射線画像変換パネルであって、前記保護部材と前記箱型容器の内側の空間の減圧度が絶対圧で１００Ｐａ〜１００００Ｐａであることを特徴とする。
【手続補正１３】
【補正対象書類名】明細書
【補正対象項目名】００３５
【補正方法】変更
【補正の内容】
【００３５】
請求項１０に記載の発明によれば、前記箱型容器内部の減圧度が絶対圧で１００Ｐａ〜１００００Ｐａであるので、輝尽性蛍光体層が水や酸素に触れない。
【手続補正１４】
【補正対象書類名】明細書
【補正対象項目名】００３６
【補正方法】変更
【補正の内容】
【００３６】
請求項１１に記載の発明は、請求項１〜１０のいずれか一項に記載の放射線画像変換パネルであって、前記保護部材と前記箱型容器の内側の空間が不活性ガスで置換されていることを特徴とする。
【手続補正１５】
【補正対象書類名】明細書
【補正対象項目名】００３７
【補正方法】変更
【補正の内容】
【００３７】
請求項１１に記載の発明によれば、前記箱型容器と前記保護部材の内側の空間が不活性ガスで置換されているので、輝尽性蛍光体層が水や酸素に触れない。
【手続補正１６】
【補正対象書類名】明細書
【補正対象項目名】００３８
【補正方法】変更
【補正の内容】
【００３８】
請求項１２に記載の発明は、請求項１〜１１のいずれか一項に記載の放射線画像変換パネルであって、前記支持体がカーボンを主とする剛性板材であることを特徴とする。
【手続補正１７】
【補正対象書類名】明細書
【補正対象項目名】００３９
【補正方法】変更
【補正の内容】
【００３９】
請求項１２に記載の発明によれば、カーボンにより支持体の剛性が確保される。
【手続補正１８】
【補正対象書類名】明細書
【補正対象項目名】００４０
【補正方法】変更
【補正の内容】
【００４０】
請求項１３に記載の発明は、請求項１〜１２のいずれか一項に記載の放射線画像変換パネルであって、前記支持体がアルミニウムを主とする金属材料からなることを特徴とする。
【手続補正１９】
【補正対象書類名】明細書
【補正対象項目名】００４１
【補正方法】変更
【補正の内容】
【００４１】
請求項１３に記載の発明によれば、金属材料により支持体の剛性が確保される。
【手続補正２０】
【補正対象書類名】明細書
【補正対象項目名】００４２
【補正方法】変更
【補正の内容】
【００４２】
請求項１４に記載の発明は、請求項１〜１３のいずれか一項に記載の放射線画像変換パネルであって、前記支持体上にポリイミド層を形成し、前記輝尽性蛍光体層は前記ポリイミド層上に形成されていることを特徴とする。
【手続補正２１】
【補正対象書類名】明細書
【補正対象項目名】００４３
【補正方法】変更
【補正の内容】
【００４３】
請求項１４に記載の発明によれば、樹脂によって支持体表面の凹凸がなくなり、また、支持体の耐熱性及び熱融着性が向上する。
【手続補正２２】
【補正対象書類名】明細書
【補正対象項目名】００４４
【補正方法】変更
【補正の内容】
【００４４】
請求項１５に記載の発明は、請求項１〜１４のいずれか一項に記載の放射線画像変換パネルであって、前記支持体上に無機蒸着層を形成し、前記輝尽性蛍光体層は前記無機蒸着層上に形成されていることを特徴とする。
【手続補正２３】
【補正対象書類名】明細書
【補正対象項目名】００４５
【補正方法】変更
【補正の内容】
【００４５】
請求項１５に記載の発明によれば、無機蒸着層は高硬度の膜であるため、支持体の剛性が確保される。
【手続補正２４】
【補正対象書類名】明細書
【補正対象項目名】００４６
【補正方法】変更
【補正の内容】
【００４６】
請求項１６に記載の発明は、請求項１〜１５のいずれか一項に記載の放射線画像変換パネルであって、前記支持体上にフッ素を含む樹脂層を形成し、前記輝尽性蛍光体層は前記樹脂層上に形成されていることを特徴とする。
【手続補正２５】
【補正対象書類名】明細書
【補正対象項目名】００４７
【補正方法】変更
【補正の内容】
【００４７】
請求項１６に記載の発明によれば、樹脂によって支持体表面の凹凸がなくなり、また、支持体の耐熱性及び熱融着性が向上する。
【手続補正２６】
【補正対象書類名】明細書
【補正対象項目名】００４８
【補正方法】変更
【補正の内容】
【００４８】
請求項１に記載の発明によれば、箱型容器における輝尽性蛍光体層を備えた支持体の位置決めが容易となる。
また、箱型容器の内部が外気と遮断されるため、密閉性がよく長期間良好な状態で使用することのできる放射線画像変換パネルを得ることができる。
さらに、保護部材と支持体を貼り合わせる場合は、基板や保護部材の材質、層構成、基板表面処理シール材の選択を行う必要があるが、本発明では支持体の材質に影響されることなくシールを最適化することができる。
また、請求項１に記載の発明によれば、保護部材の材料を主に樹脂フィルムとすることで、薄層にしても強度に問題がなく、また薄層にすることで光の拡散による画質の劣化を防止し、より一層感度及び鮮鋭性の優れた放射線画像変換パネルとすることができる。
【手続補正２７】
【補正対象書類名】明細書
【補正対象項目名】００５４
【補正方法】削除
【補正の内容】
【手続補正２８】
【補正対象書類名】明細書
【補正対象項目名】００５５
【補正方法】変更
【補正の内容】
【００５５】
請求項７記載の発明によれば、請求項１〜６のいずれか一項に記載の発明と同様の効果が得られるとともに、保護部材の透湿度、酸素透過度を低下させ、輝尽性蛍光体の劣化を防ぐことができる。
【手続補正２９】
【補正対象書類名】明細書
【補正対象項目名】００５６
【補正方法】変更
【補正の内容】
【００５６】
請求項８に記載の発明によれば、請求項１〜７のいずれか一項に記載の発明と同様の効果が得られるとともに、密閉性がよく長期間良好な状態で使用することのできる放射線画像変換パネルを得ることができる。
【手続補正３０】
【補正対象書類名】明細書
【補正対象項目名】００５７
【補正方法】変更
【補正の内容】
【００５７】
請求項９に記載の発明によれば、請求項１〜８のいずれか一項に記載の発明と同様の効果が得られるとともに、輝尽性蛍光体層の酸化や吸湿を防止して、経時による鮮鋭性の劣化の少ない放射線画像変換パネルを得ることができる。
【手続補正３１】
【補正対象書類名】明細書
【補正対象項目名】００５８
【補正方法】変更
【補正の内容】
【００５８】
請求項１０に記載の発明によれば、請求項１〜９のいずれか一項に記載の発明と同様の効果が得られるとともに、輝尽性蛍光体層の酸化や吸湿を防止して、経時による鮮鋭性の劣化の少ない放射線画像変換パネルを得ることができる。
【手続補正３２】
【補正対象書類名】明細書
【補正対象項目名】００５９
【補正方法】変更
【補正の内容】
【００５９】
請求項１１に記載の発明によれば、請求項１〜１０のいずれか一項に記載の発明と同様の効果が得られるとともに、輝尽性蛍光体層の酸化や吸湿を防止して、経時による鮮鋭性の劣化の少ない放射線画像変換パネルを得ることができる。
【手続補正３３】
【補正対象書類名】明細書
【補正対象項目名】００６０
【補正方法】変更
【補正の内容】
【００６０】
請求項１２に記載の発明によれば、請求項１〜１１のいずれか一項に記載の発明と同様の効果が得られるとともに、支持体の剛性が確保され、画像読取の際に支持体を別の剛性のある基板に貼り付けるなどの必要がなくなる。また、放射線画像変換パネル全体としての平面性が保たれる。
【手続補正３４】
【補正対象書類名】明細書
【補正対象項目名】００６１
【補正方法】変更
【補正の内容】
【００６１】
請求項１３に記載の発明によれば、請求項１〜１２のいずれか一項に記載の発明と同様の効果が得られるとともに、支持体の剛性が確保され、画像読取の際に支持体を別の剛性のある基板に貼り付けるなどの必要がなくなる。また、放射線画像変換パネル全体としての平面性が保たれる。
【手続補正３５】
【補正対象書類名】明細書
【補正対象項目名】００６２
【補正方法】変更
【補正の内容】
【００６２】
請求項１４に記載の発明によれば、請求項１〜１３のいずれか一項に記載の発明と同様の効果が得られるとともに、箱型容器表面の凹凸がなくなることから、輝尽性蛍光体を蒸着させる際の成形性を改善することができる。また、輝尽性蛍光体を蒸着する際に箱型容器が蒸気流の熱により変形するのを防ぐことができる。
【手続補正３６】
【補正対象書類名】明細書
【補正対象項目名】００６３
【補正方法】変更
【補正の内容】
【００６３】
請求項１５に記載の発明によれば、請求項１〜１４のいずれか一項に記載の発明と同様の効果が得られるとともに、支持体の剛性が確保され、画像読取の際に支持体を別の剛性のある基板に貼り付けるなどの必要がなくなる。また、放射線画像変換パネル全体としての平面性が保たれる。
【手続補正３７】
【補正対象書類名】明細書
【補正対象項目名】００６４
【補正方法】変更
【補正の内容】
【００６４】
請求項１６に記載の発明によれば、請求項１〜１５のいずれか一項に記載の発明と同様の効果が得られるとともに、箱型容器表面の凹凸がなくなることから、輝尽性蛍光体を蒸着させる際の成形性を改善することができる。また、輝尽性蛍光体を蒸着する際に箱型容器が蒸気流の熱により変形するのを防ぐことができる。